(57)【要約】【課題】ケーシングの開口部に対する通信回線接続用コネクタの組み付け作業の容易化を図りながら、両者間の隙間からの異物の侵入を抑制する。【解決手段】通信ユニットのケーシングに形成されたコネクタ装着用の開口部に、通信線挿入孔３５に挿入された通信線５の芯線５ａを端子板３７に導電状態で抜止め保持する線抜止め機構３８と、当該線抜止め機構３８を抜止め解除する解除操作体とを備えた通信回線接続用コネクタ２８を、通信線挿入孔３５が開口部から外部に露出する状態で装着し、通信回線接続用コネクタ２８の筐体３６の外面と開口部の内面との間の隙間Ｓ１、又は、この隙間Ｓ１に連通する筐体３６の外面とケーシングの内面７ｄとの間の空隙Ｓ２を経由する異物の内部侵入を規制する異物侵入規制手段Ａが、ケーシングと筐体３６との相対向する部位の少なくとも一方に形成されている。【選択図】図１１
2015213206.tif 000002
【特許請求の範囲】
【請求項１】
通信ユニットのケーシングに形成されたコネクタ装着用の開口部に、通信線挿入孔と、この通信線挿入孔に挿入された通信線の芯線を端子板に導電状態で抜止め保持する線抜止め機構と、当該線抜止め機構を抜止め解除する解除操作体とを備えた通信回線接続用コネクタを、前記通信線挿入孔が前記開口部から外部に露出する状態で装着してある通信ユニットであって、
前記通信回線接続用コネクタの筐体の外面と前記開口部の内面との間の隙間、又は、この隙間に連通する前記筐体の外面と前記ケーシングの内面との間の空隙を経由する異物の内部侵入を規制する異物侵入規制手段が、前記ケーシングと前記筐体との相対向する部位の少なくとも一方に形成されている通信ユニット。
【請求項２】
前記異物侵入規制手段には、前記空隙を減じる状態で、前記ケーシングの内面と前記筐体の外面との相対向する部位の少なくとも一方に形成される空隙減少手段が備えられている請求項１記載の通信ユニット。
【請求項３】
前記異物侵入規制手段には、前記開口部に装着された前記通信回線接続用コネクタの筐体の外面に当接又は圧接する状態で前記ケーシングに形成された閉塞手段が備えられている請求項１又は２記載の通信ユニット。
【請求項４】
前記空隙減少手段が、前記筐体の外面と前記ケーシングの内面との相対向する部位の少なくとも一方に前記空隙を減じる状態で形成した障壁から構成されている請求項２記載の通信ユニット。
【請求項５】
前記閉塞手段が、前記ケーシングにおける前記開口部の周縁部の少なくとも一部において、前記開口部の側縁部に沿って外方側に突出形成され、かつ、前記隙間を減じる状態で前記ケーシングの開口部に挿入された通信回線接続用コネクタの筐体の外面に接触又は押圧接触する閉塞壁部から構成されている請求項３記載の通信ユニット。
【請求項６】
前記通信回線接続用コネクタの前記解除操作体の操作部が、前記筐体の一側面に解除作動可能な状態で突出配置され、前記障壁が、前記ケーシングの内面における前記筐体の前記一側面と対面する部位に、前記解除操作体の操作部の解除作動範囲を前記開口部側に向かって囲む状態で形成して構成されている請求項４記載の通信ユニット。
【請求項７】
前記筐体の前記一側面には、前記ケーシングの開口部に対して通信回線接続用コネクタの筐体が前記ケーシングの内部から設定装着位置に挿入されたとき、前記ケーシングの内面に設けられた前記障壁の先端と当接又は近接する突条が形成されている請求項６記載の通信ユニット。
【請求項８】
前記通信回線接続用コネクタが、前記通信線挿入孔を前壁部に形成してあり、且つ、横幅方向の一側方に開口する装着凹部に前記線抜止め機構と解除操作体及び端子板とを組み付けてある端子本体と、当該端子本体の装着凹部を閉止する端子カバーとを接合してあるコネクタ体の二組から構成され、前記二組のコネクタ体が、前記ケーシング内に配置される回路基板に並列状態で実装されている請求項１〜７のいずれか１項に記載の通信ユニット。
【発明の詳細な説明】
【技術分野】
【０００１】
本発明は、例えば、壁面等に設置されている情報コンセントに装備され、情報通信用モジュラープラグや電話回線用モジュラープラグを接続可能な情報通信ユニットなど、電話線等の通信線の芯線が挿入接続される通信回線接続用コネクタを備えた通信ユニットに関する。
【背景技術】
【０００２】
従来の通信ユニットでは、ケーシングに形成されたコネクタ装着用の開口部に、通信線挿入孔と、この通信線挿入孔に挿入された通信線の芯線を端子板に導電状態で抜止め保持する線抜止め機構と、当該線抜止め機構を抜止め解除する解除操作体とを備えた通信回線接続用コネクタが、ケーシングの内部から挿入装着されている。
ケーシングのコネクタ装着用の開口部に通信回線接続用コネクタが装着された状態では、通信線挿入孔と解除操作体又は当該解除操作体に対する解除用操作孔とがコネクタ装着用開口部から外部に露出する形態に構成されている（例えば、特許文献１、２参照）。
【０００３】
通信回線接続用コネクタに通信線を接続する場合には、解除操作体を操作して線抜止め機構を抜止め解除し、この抜止め解除状態で通信線の芯線を通信線挿入孔に挿入したのち、解除操作体の操作力を解除すると、線抜止め機構によって通信線の芯線が端子板に導電状態で抜止め保持される。
【０００４】
一般に、通信線の一例である６極２芯式の電話線の場合では、壁裏空間等を通して情報コンセントにまで配線された電話線の先端部には加工が施されていないため、モジュラープラグを使用しないで、電話線の芯線の被覆材を剥いて通信回線接続用コネクタの通信線挿入孔に挿入接続する簡便な工法が採られている。
【先行技術文献】
【特許文献】
【０００５】
【特許文献１】特開平８−７８０６７号公報
【特許文献２】特開２００３−３４６９３３号公報
【発明の概要】
【発明が解決しようとする課題】
【０００６】
この種の通信ユニットにおいては、ケーシングのコネクタ装着用開口部から露出する通信線挿入孔は、それに挿入接続される通信線でほぼ閉鎖されているものの、コネクタ装着用開口部の内面とそれに対面する通信回線接続用コネクタの筐体の外面との間には、コネクタ装着用開口部に対して筐体を入り込み配置するための適当な間隙が形成されている。
【０００７】
コネクタ装着用開口部の内面と通信回線接続用コネクタの筐体の外面との間に形成される間隙を、コネクタ装着作業に支障のない範囲で極力小さく設定しても、通信回線接続用コネクタをケーシング内に設けられる回路基板に実装するための端子板のターミナル等が撓み変形し易いため、コネクタ装着用開口部に対して通信回線接続用コネクタが隙間の範囲内で偏る場合がある。
【０００８】
その結果、通信回線接続用コネクタの偏りによって隙間の一部分が大きくなるため、この間隙の拡大した部分を通して塵埃等の異物がケーシング内に侵入し易くなり、侵入した異物によってケーシング内に設けられる回路基板等の誤作動や故障等を招来する可能性があった。
【０００９】
特に、通信回線接続用コネクタの解除操作体の操作部が、筐体の一側面に解除作動可能な状態で突出配置されている場合では、この筐体の一側面とケーシングのコネクタ装着用開口部の内面との間に、解除操作体の操作部の解除作動範囲を含めた大きな隙間を確保する必要があるため、コネクタ装着用開口部に対して通信回線接続用コネクタが偏らない場合でも、この大きな隙間を通して塵埃等の異物がケーシング内に侵入し易くなる不都合がある。
【００１０】
本発明は、上述の実状に鑑みて為されたものであって、その主たる課題は、ケーシングのコネクタ装着用開口部に対する通信回線接続用コネクタの組付け作業の容易化を図りながらも、両者間の隙間からの異物の侵入を抑制することのできる通信ユニットを提供する点にある。
【課題を解決するための手段】
【００１１】
本発明による第１の特徴構成は、通信ユニットのケーシングに形成されたコネクタ装着用の開口部に、通信線挿入孔と、この通信線挿入孔に挿入された通信線の芯線を端子板に導電状態で抜止め保持する線抜止め機構と、当該線抜止め機構を抜止め解除する解除操作体とを備えた通信回線接続用コネクタを、前記通信線挿入孔が前記開口部から外部に露出する状態で装着してある通信ユニットであって、
前記通信回線接続用コネクタの筐体の外面と前記開口部の内面との間の隙間、又は、この隙間に連通する前記筐体の外面と前記ケーシングの内面との間の空隙を経由する異物の内部侵入を規制する異物侵入規制手段が、前記ケーシングと前記筐体との相対向する部位の少なくとも一方に形成されている点にある。
【００１２】
上記構成によれば、ケーシングのコネクタ装着用開口部の内面と通信回線接続用コネクタの筐体の外面との間に、コネクタ装着用開口部に対して筐体を容易に組付けるための適当な間隙が形成されていても、この隙間からの異物の内部侵入、又は、この隙間に連通する筐体の外面とケーシングの内面との間の空隙を経由する異物の内部侵入を異物侵入規制手段で規制することができる。
【００１３】
しかも、異物侵入規制手段はケーシングと筐体との相対向する部位の少なくとも一方に形成されているので、コネクタ装着用開口部に対する筐体の組み付け時に、異物の侵入を規制するための特別な組付け工程を必要とせず、従来と同様の作業性を確保することができる。
【００１４】
したがって、ケーシングのコネクタ装着用開口部に対する通信回線接続用コネクタの組付け作業の容易化を図りながら、両者間の隙間又はこれに連通する空隙からの異物侵入に起因する回路基板の誤作動や故障等を抑制することができる。
【００１５】
本発明による第２の特徴構成は、前記異物侵入規制手段には、前記空隙を減じる状態で、前記ケーシングの内面と前記筐体の外面との相対向する部位の少なくとも一方に形成される空隙減少手段が備えられている点にある。
【００１６】
上記構成によれば、ケーシングのコネクタ装着用開口部に対して通信回線接続用コネクタを組み付けたとき、筐体の外面とケーシングの内面との相対向する部位の少なくとも一方に形成した空隙減少手段によって空隙を減じることができるので、コネクタ装着用開口部の内面と筐体の外面との間の隙間から異物が侵入しても、この隙間に連通する空隙において異物の侵入を規制することができ、異物の内部侵入に起因する回路基板等の誤作動や故障等を抑制することができる。
【００１７】
本発明による第３の特徴構成は、前記異物侵入規制手段には、前記開口部に装着された前記通信回線接続用コネクタの筐体の外面に当接又は圧接する状態で前記ケーシングに形成された閉塞手段が備えられている点にある。
【００１８】
上記構成によれば、ケーシングのコネクタ装着用開口部に対して通信回線接続用コネクタを装着したとき、ケーシングに形成された閉塞手段が通信回線接続用コネクタの筐体の外面に当接又は圧接して前記隙間を減少することができるから、異物の内部侵入を抑制することができる。
【００１９】
本発明による第４の特徴構成は、前記空隙減少手段が、前記筐体の外面と前記ケーシングの内面との相対向する部位の少なくとも一方に前記空隙を減じる状態で形成した障壁から構成されている点にある。
【００２０】
上記構成によれば、ケーシングのコネクタ装着用開口部に対して通信回線接続用コネクタを組付けたとき、筐体の外面とケーシングの内面との相対向する部位の少なくとも一方に形成した障壁の突出分だけ、当該障壁の先端とこれに相対向する部位との間隔が減少し、異物の侵入を良好に抑制することができる。
【００２１】
それ故に、筐体の外面とケーシングの内面との相対向する部位の少なくとも一方に、空隙を減じる障壁を形成するだけであるから、簡単な構造の改良で空隙減少手段を構成することができる。
【００２２】
本発明による第５の特徴構成は、前記閉塞手段が、前記ケーシングにおける前記開口部の周縁部の少なくとも一部において、前記開口部の側縁部に沿って外方側に突出形成され、かつ、前記隙間を減じる状態で前記ケーシングの開口部に挿入された通信回線接続用コネクタの筐体の外面に接触又は押圧接触する閉塞壁部から構成されている点にある。
【００２３】
上記構成によれば、ケーシングのコネクタ装着用開口部に対して通信回線接続用コネクタを組付けたとき、コネクタ装着用開口部の周縁部の少なくとも一部において、開口部の側縁部に沿って外方側に突出形成された閉塞壁部が、コネクタ装着用開口部に挿入された筐体の外面に接触又は押圧接触して隙間を減少することができる。
【００２４】
それ故に、ケーシングにおける開口部の周縁部の少なくとも一部に閉塞壁部を外方に突出形成するだけの簡単な構造の改良で閉塞手段を構成することができる。
【００２５】
本発明による第６の特徴構成は、前記通信回線接続用コネクタの前記解除操作体の操作部が、前記筐体の一側面に解除作動可能な状態で突出配置され、前記障壁が、前記ケーシングの内面における前記筐体の前記一側面と対面する部位に、前記解除操作体の操作部の解除作動範囲を前記開口部側に向かって囲む状態で形成して構成されている点にある。
【００２６】
上記構成によれば、例えば、通信回線接続用コネクタの解除操作体の操作部が筐体内に配置され、筐体の前壁部に形成された解除用操作孔に細長い工具を挿入して解除操作体の操作部を解除操作する場合に比して、解除操作体の操作部を目視しながら確実、容易に行うことができる。
【００２７】
反面、解除操作体の操作部を、筐体の一側面に解除作動可能な状態で突出配置することに伴って、筐体の一側面とコネクタ装着用開口部の内面との間の隙間が大きくなるが、本願発明では、ケーシングの内面における筐体の前記一側面と対面する部位に、解除操作体の操作部の解除作動範囲を開口部側に向かって囲む状態で障壁を設けてあるので、大きくなった隙間から異物が侵入しても、この侵入した異物を障壁で囲まれた空間内に留めることができる。
【００２８】
それ故に、解除操作体の操作部に対する解除操作時の操作性を高めながら、異物の内部侵入に起因する回路基板の誤作動や故障等を抑制することができ、しかも、解除操作体の操作部の解除作動範囲を開口部側に向かって囲む状態で障壁を突出形成するだけの簡単な構造の改良で異物侵入抑制効果の向上を達成することができる。
【００２９】
本発明による第７の特徴構成は、前記筐体の前記一側面には、前記ケーシングの開口部に対して通信回線接続用コネクタの筐体が前記ケーシングの内部から設定装着位置に挿入されたとき、前記ケーシングの内面に設けられた前記障壁の先端と当接又は近接する突条が形成されている点にある。
【００３０】
上記構成によれば、コネクタ装着用開口部に対して通信回線接続用コネクタの筐体をケーシングの内部から設定装着位置に挿入したとき、筐体の一側面に設けた突条と障壁の先端とが当接又は近接して、空隙をより減少することができるから、異物の内部侵入に起因する回路基板の誤作動や故障等を良好に抑制することができる。
【００３１】
本発明による第８の特徴構成は、前記通信回線接続用コネクタが、前記通信線挿入孔を前壁部に形成してあり、且つ、横幅方向の一側方に開口する装着凹部に前記線抜止め機構と解除操作体及び端子板とを組み付けてある端子本体と、当該端子本体の装着凹部を閉止する端子カバーとを接合してあるコネクタ体の二組から構成され、前記二組のコネクタ体が、前記ケーシング内に配置される回路基板に並列状態で実装されている点にある。
【００３２】
上記構成によれば、例えば、一方の端子本体の横幅方向の一側方に、これの装着凹部を閉止する状態で他方の端子本体を併設し、この他方の端子本体の装着凹部を端子カバーで閉止する場合に比して、一方の端子本体の通信線挿入孔と他方の端子本体の通信線挿入孔との間隔を大きくとることができるので、各通信線挿入孔に対する通信線の芯線挿入作業の容易化と各端子本体の解除操作体の操作部に対する操作の確実化、容易化を図ることができる。
【００３３】
特に、上述の第５の特徴構成との組み合わせにおいては、コネクタ装着用開口部に対して通信回線接続用コネクタをケーシングの内部から設定装着位置に挿入したとき、ケーシングにおける開口部の周縁部の少なくとも一部において、開口部の側縁部に沿って外方側に突出形成された閉塞壁部により、二組のコネクタ体を横幅方向から押圧接触させた場合には、回路基板に対する端子板のターミナル等の撓み変形を利用して二組のコネクタ体同士を密着させることができ、隙間の減少を図ることができる。
【図面の簡単な説明】
【００３４】
【図１】情報コンセントの正面図
【図２】情報通信ユニットの表面側から見た斜視図
【図３】情報通信ユニットの裏面側から見た斜視図
【図４】情報通信ユニットの分解斜視図
【図５】情報通信ユニットの表側分割ケーシングと裏側分割ケーシングとを分離したときの斜視図
【図６】裏側分割ケーシングの空隙減少手段の拡大斜視図
【図７】電話回線接続用コネクタの拡大斜視図
【図８】電話回線接続用コネクタの取付け部の拡大縦断面図
【図９】裏側分割ケーシングの要部の拡大背面図
【図１０】電話回線接続用コネクタを備えた回路基板を装着する前の要部の拡大背面図
【図１１】通信線の挿入前（ａ）と挿入後（ｂ）の電話回線接続用コネクタの取付け部の拡大縦断面図
【発明を実施するための形態】
【００３５】
〔第１実施形態〕
図１は、本発明の通信ユニットの一例である情報通信ユニットＵ１を、設置対象部位の一例である壁Ｗに設置してある情報コンセント１に装備した状態を示している。
【００３６】
情報コンセント１は、壁Ｗに貫通形成した矩形状の設置用穴Ｗａの裏面側に配置したコンセントボックス１Ａと、壁Ｗの表面側に配置した化粧カバー１Ｂとを、それらの間において壁Ｗの表面に当接する金属製の取付けフレーム（図示せず）を介して固定することにより構成されている。
【００３７】
この情報コンセント１には、本発明の情報通信ユニットＵ１を含めて４つのユニットが装備されている。
つまり、情報コンセント１の左右方向の中央位置には、情報通信であるＬＡＮ用モジュラープラグが脱着自在に接続されるＬＡＮ用モジュラーローゼット２及び電話回線用モジュラープラグが脱着自在に接続される電話回線用モジュラーローゼット３を表面側に備えた本発明の情報通信ユニットＵ１が設けられている。
【００３８】
また、情報コンセント１の左右方向の一側部（図１の左側部）には、上下に２つの差込口４を備えた電源コンセントユニットＵ２が設けられ、情報コンセント１の左右方向の他側部（図１の右側部）には、テレビアンテナ用の同軸ケーブルを接続する同軸接続ユニットＵ３の二組が設けられている。
【００３９】
二つの同軸接続ユニットＵ３は、共に地上波放送及び衛星放送の混合波が出力されるものであってもよく、また、一方が地上波放送、他方が衛星放送などに分岐された短波が出力されるものであってもよい。
【００４０】
コンセントボックス１Ａの周壁部及び底壁部には、図示はしないが、壁Ｗの裏側空間に配線された電源ケーブル（図示せず）、通信線（通信ケーブル）の一例である電話ケーブル（電話線）５、同軸ケーブル（図示せず）、ＷＡＮ側の通信ケーブル（図示せず）の端部が挿入される挿入口が形成されている。
【００４１】
この挿入口を通してコンセントボックス１Ａ内に導入された各ケーブルのうち、電源ケーブルは電源コンセントユニットＵ２に接続され、電話ケーブル５及びＷＡＮ側の通信ケーブルは情報通信ユニットＵ１に接続され、さらに、同軸ケーブルは同軸接続ユニットＵ３に接続されている。
【００４２】
化粧カバー１Ｂには、前記各ユニットＵ１〜Ｕ３に対応した形状の取付け窓１ａが形成され、各取付け窓１ａを通して各ユニットＵ１〜Ｕ３の前面部分が前方に露出する形態で取付けられている。
【００４３】
情報通信ユニットＵ１は、図２〜図４に示すように、壁Ｗに対して直交する表裏方向（前後方向）で二分割された合成樹脂製のケーシングＣ内に、情報通信のための各部品を納めて一体に構成されている。
【００４４】
ケーシングＣは、表裏方向から互いに脱着自在に嵌合する表側分割ケーシング６と裏側分割ケーシング７とからなり、表側分割ケーシング６の後端側の接合部位の複数個所には係合爪１０が一体形成され、裏側分割ケーシング７の前端側の接合部位の複数個所には、表側分割ケーシング６の係合爪１０が係合する係合孔１１が形成されている。
【００４５】
表側分割ケーシング６は、化粧カバー１Ｂの取付け窓１ａを通して前方に突出する中央ケース部６Ａと、取付けフレームの裏面に当接する左右の鍔状縦ケース部６Ｂとからなり、中央ケース部６Ａの表面（前面）は、前方への突出代が少ない偏平な上側表面部６ａと、これの下端から前方下方に向かって延びる傾斜姿勢の中間傾斜表面部６ｂと、これの下端から下方に延びる前方への突出代が大きな偏平な下側表面部６ｃとから構成されている。
【００４６】
表側分割ケーシング６の上側表面部６ａには、電話回線用モジュラーローゼット３の接続口部３ａが外部に臨む第１接続窓１２と、情報通信ユニットＵ１に電源が投入されており、ルーティング機能（有線ＬＡＮや無線ＬＡＮを利用した情報通信機能）が利用可能であるときに点灯する電源インジケータ１３の光を透過させる第１表示孔１４と、ネットワークのアクセス状態を点灯によって表示するアクセスインジケータ１５の光を透過させる第２表示孔１６と、ケーシングＣ内のリセットスイッチ１７を爪楊枝等の細い棒状の操作具でリセット操作するための操作孔１８が設けられている。
【００４７】
表側分割ケーシング６の下側表面部６ｃには、ＬＡＮ用モジュラーローゼット２の接続口部２ａが外部に臨む第２接続窓１９が設けられている。
【００４８】
表側分割ケーシング６の両鍔状縦ケース部６Ｂの複数個所には、取付けフレームの係合突起と係合して、情報通信ユニットＵ１を取付けフレームに取付けるための係合凹部２０が形成されている。
【００４９】
裏側分割ケーシング７の裏面は、後方への突出代が最も少ない垂直で偏平な上側裏面部７ａと、これの下端から水平方向に沿って裏側に延びる偏平な中間水平裏面部７ｂと、これの先端から下方に延びる突出代の最も大きな垂直で偏平な下側裏面部７ｃとから構成されている。
【００５０】
裏側分割ケーシング７の中間水平裏面部７ｂには、ＷＡＮ用の開口部２５と電話回線用の開口部（以下、電話回線用開口部と記載する）２６とが形成されている。ＷＡＮ用の開口部２５には、ＷＡＮ側の通信ケーブルのモジュラープラグが脱着自在に接続されるＷＡＮ用のモジュラーローゼット２７が、それの接続口部２７ａを上方に露出開口させた状態で装備され、また、電話回線用開口部２６には、６極２芯の電話ケーブル５の二本の芯線５ａが脱着自在に差し込み接続される通信回線接続用コネクタの一例である電話回線接続用コネクタ２８が、それの両通信線挿入孔３５を上方に露出開口させた状態で装備されている。
【００５１】
ケーシングＣの内部には、回路基板２９が備えられている。この回路基板２９は、情報通信ユニットＵ１が情報コンセント１に取付けられた状態において、設置面である壁面に沿う姿勢でケーシングＣに固定されている。
【００５２】
回路基板２９は、表側分割ケーシング６に装備される第１回路基板２９Ａと、裏側分割ケーシング７に装備される第２回路基板２９Ｂとから構成されている。
【００５３】
第１回路基板２９Ａと第２回路基板２９Ｂとの間は、信号コネクタ３０やスペーサ３１によって電気的な絶縁距離が確保されているとともに、第１回路基板２９Ａと第２回路基板２９Ｂとは信号コネクタ３０等を介して電気的に接続されている。
【００５４】
第２回路基板２９Ｂには、裏側分割ケーシング７の背面側に配備されるＷＡＮ用のモジュラーローゼット２７及び電話回線接続用コネクタ２８が実装されている。
【００５５】
第１回路基板２９Ａには、表面側に配備される電話回線用モジュラーローゼット３とＬＡＮ用モジュラーローゼット２及び無線ＬＡＮ用アンテナ３２が実装されている。この無線ＬＡＮ用アンテナ３２としては、共に無線ＬＡＮの周波数帯域に感度を有する第１アンテナ３２Ａと第２アンテナ３２Ｂから構成されている。
【００５６】
第１アンテナ３２Ａと第２アンテナ３２Ｂとは、壁面に沿って直交する二方向における双方の位置が異なるほぼ対角位置に配置されている。この配置により送受信する電磁波の干渉を防ぐことが可能となり、ダイバーシティ効果により良好な通信環境を実現し易くなる。
【００５７】
電話回線接続用コネクタ２８は、図５〜図１１に示すように、電話ケーブル５の二本の芯線５ａが脱着自在に差し込み接続される二つの通信線挿入孔３５を形成してある合成樹脂（例えば、ポリアミド樹脂）製の筐体３６と、各通信線挿入孔３５に挿入された電話ケーブル５の芯線５ａを金属製の端子板３７に弾性力で押し付けて当該芯線５ａを端子板３７に導電状態で抜止め保持する線抜止め機構３８と、当該線抜止め機構３８を抜止め解除する合成樹脂（例えば、ポリアミド樹脂）製の解除操作体３９とが備えられている。
【００５８】
詳しくは、図７、図９〜図１１に示すように、電話回線接続用コネクタ２８は二組のコネクタ体２８Ａから構成されている。各コネクタ体２８Ａは、一つの通信線挿入孔３５を前壁部４１Ａに形成してあり、且つ、横幅方向の一側方に開口する装着凹部４１Ｂ内に線抜止め機構３８と解除操作体３９及びターミナル４２を備えた端子板３７とを組み付けてある端子本体４１と、当該端子本体４１の装着凹部４１Ｂを閉止する端子カバー４３とを接合して構成されている。
この二組のコネクタ体２８Ａの端子本体４１及び端子カバー４３をもって前記筐体３６が形成されている。
【００５９】
端子本体４１のうち、通信線挿入孔３５を形成してある前壁部４１Ａに連続する筐体３６の一側面である天井壁部４１Ｃには、線抜止め機構３８に対する解除操作用開口部４１Ｄが形成され、前壁部４１Ａに連続する筐体３６の他側面である底壁部４１Ｅには、端子板３７のターミナル４２が外部に突出する貫通孔４１ｅが形成されている。
【００６０】
二組のコネクタ体２８Ａの端子本体４１と端子カバー４３とをもって構成される筐体３６の一側面である天井面は、端子本体４１の前壁部４１Ａ側に位置する低い前側天井面部分３６ａと、端子本体４１の後壁部４１Ｆ側に位置する高い後側天井面部分３６ｃと、これら両者３６ａ，３６ｃを繋ぐ傾斜姿勢の中間天井面部分３６ｂとから構成されている。
【００６１】
線抜止め機構３８には、端子本体４１の装着凹部４１Ｂ内に略「つ」の字状に湾曲して装着された板バネ３８Ａが主要構成として備えられ、この板バネ３８Ａの一端側の挾持端部３８ａは、通信線挿入孔３５から挿入された電話ケーブル５の芯線５ａに対する遠近方向に撓み変形可能で、且つ、弾性復元力で電話ケーブル５の芯線５ａを端子板３７に押し付けて導電状態で挾持するように構成されている。
【００６２】
解除操作体３９は、端子本体４１の装着凹部４１Ｂ内に枢支ピン４４周りで揺動自在に枢着された解除操作レバー３９Ａと、端子本体４１の解除操作用開口部４１Ｄから外部に突出配置される状態で解除操作レバー３９Ａの先端部に連設される操作部３９Ｂとから構成されているとともに、解除操作レバー３９Ａには、板バネ３８Ａに突出形成された連動片３８Ｂが係合する連動係合孔８が形成されている。
【００６３】
そのため、解除操作レバー３９Ａの操作部３９Ｂを指で押し込み操作する又は操作部３９Ｂに形成されている操作凹部３９ｂを細い工具で押し込み操作すると、解除操作レバー３９Ａの枢支ピン４４周りでの揺動に伴って板バネ３８Ａの挾持端部３８ａが電話ケーブル５の芯線５ａの挿入保持位置から弾性復元力に抗して端子本体４１の底壁部４１Ｅ側に離脱移動し、通信線挿入孔３５に対する電話ケーブル５の芯線５ａの挿入操作が抵抗の無い自由状態となる。
【００６４】
解除操作レバー３９Ａの操作部３９Ｂに対する押し込み操作力を解除すると、板バネ３８Ａの弾性復元力で解除操作レバー３９Ａ及び板バネ３８Ａの挾持端部３８ａが復帰移動し、板バネ３８Ａの挾持端部３８ａで電話ケーブル５の芯線５ａを端子板３７に押し付けて挾持する。
【００６５】
上述のように、電話回線接続用コネクタ２８の解除操作体３９の操作部３９Ｂが筐体３６の一側面である天井面側において解除作動可能な状態で突出配置され、且つ、解除操作体３９の操作部３９Ｂが裏側分割ケーシング７の中間水平裏面部７ｂよりも外方に突出配置されているので、解除操作体３９の操作部３９Ｂを目視しながら確実、容易に解除操作することができる。
【００６６】
そして、本願発明では、電話回線接続用コネクタ２８の筐体３６の外面とケーシングＣにおける裏側分割ケーシング７の電話回線用開口部２６の内面との間の隙間Ｓ１、又は、この隙間Ｓ１に連通する筐体３６の外面と裏側分割ケーシング７の内面７ｄとの間の空隙Ｓ２を経由する塵埃等の異物の内部侵入を規制する異物侵入規制手段Ａが、裏側分割ケーシング７と筐体３６との相対向する部位の少なくとも一方に形成されている。
【００６７】
異物侵入規制手段Ａは、前記空隙Ｓ２を減じる状態で、筐体３６の外面と裏側分割ケーシング７の内面７ｄとの相対向する部位の少なくとも一方に形成される空隙減少手段Ａ１と、前記隙間Ｓ１を減じる状態で、電話回線用開口部２６に装着された電話回線接続用コネクタ２８の筐体３６の外面に当接又は圧接される閉塞手段Ａ２との組み合わせから構成されている。
【００６８】
空隙減少手段Ａ１は、筐体３６の一側面である天井面と対面する裏側分割ケーシング７の内面７ｄに、筐体３６の天井面と裏側分割ケーシング７の内面７ｄとの間の空隙Ｓ２を減少する障壁４６を一体的に突出形成して構成されている。
【００６９】
この障壁４６は、筐体３６の天井面側に突設する解除操作体３９の操作部３９Ｂの解除操作に伴う作動範囲を電話回線用開口部２６側に向かって略「コ」の字状に囲む状態で一体形成されている。
【００７０】
障壁４６は、筐体３６の横幅方向で相対向する一対の縦方向障壁部４６ａと、これらの端部同士を繋ぐ横方向障壁部４６ｂとからなり、両縦方向障壁部４６ａの横幅方向の内面寸法Ｌ１は、両コネクタ体２８Ａに装備されている解除操作体３９の操作部３９Ｂの外面間寸法Ｌ２よりも僅かに大に構成されている。
【００７１】
両縦方向障壁部４６ａの突出先端面は、筐体３６の前側天井面部分３６ａと中間天井面部分３６ｂ及び後側天井面部分３６ｃとに近接する階段状に形成され、さらに、横方向障壁部４６ｂは、筐体３６の後側天井面部分３６ｃに近接するー直線状に形成されている。これにより、両解除操作体３９の操作部３９Ｂの解除作動範囲を略「コ」の字状に囲む状態で、筐体３６の天井面と裏側分割ケーシング７の内面７ｄとの対向面間の空隙Ｓ２を減少している。
【００７２】
筐体３６の後側天井面部分３６ｃにおける中間天井面部分３６ｂとの境界部位には、裏側分割ケーシング７の電話回線用開口部２６に対して電話回線接続用コネクタ２８の筐体３６が裏側分割ケーシング７の内部から設定装着位置に挿入されたとき、裏側分割ケーシング７の内面７ｄに形成された障壁４６の突出先端と当接又は近接する異物侵入規制用の突条４７が一体的に突出形成されている。
【００７３】
閉塞手段Ａ２は、裏側分割ケーシング７の外面における電話回線用開口部２６の周縁部のうち、横幅方向の一方の短辺側の側縁部２６ａに沿って外方側に一体的に突出形成して、裏側分割ケーシング７の電話回線用開口部２６に挿入された電話回線接続用コネクタ２８の筐体３６の外面に対して押圧状態で接触することにより、電話回線用開口部２６の他方の短辺側の側縁部２６ｂとそれに対面する筐体３６の外面との間の隙間、及び、二組のコネクタ体２８Ａ間の隙間を無くする又は減じる閉塞壁部４８から構成されている。
【００７４】
この閉塞壁部４８の基端部における電話回線用開口部２６側の内側面は、電話回線用開口部２６における一方の短辺側の側縁部２６ａと面一に構成され、閉塞壁部４８の先端部における電話回線用開口部２６側の内側面は、前記隙間を無くする又は減じる分だけ、電話回線用開口部２６の他方の側縁部２６ｂ側に向かって張り出し形成されている。
【００７５】
そのため、閉塞壁部４８の内側面は、基端部から先端部にわたって滑らかな傾斜面に構成され、電話回線用開口部２６に対して電話回線接続用コネクタ２８の筐体３６を裏側分割ケーシング７の内部から設定装着位置に挿入する際、筐体３６を構成する二組のコネクタ体２８Ａを電話回線用開口部２６の他方の側縁部２６ｂ側に向かって押圧しながら挿入案内する。
【００７６】
これにより、電話回線用開口部２６における一方の短辺側の側縁部２６ａ及び閉塞壁部４８の内側面とこれに対面する一方のコネクタ体２８Ａの端子カバー４３との間の隙間と、電話回線用開口部２６における他方の短辺側の側縁部２６ｂとこれに対面する他方のコネクタ体２８Ａの端子本体４１との間の隙間、及び、一方のコネクタ体２８Ａの端子本体４１と他方のコネクタ体２８Ａの端子カバー４３との隣接間の隙間を無くする又は減じることができる。
【００７７】
また、裏側分割ケーシング７の電話回線用開口部２６における筐体３６の天井面と相対向する側縁部２６ｃには、両解除操作レバー３９Ａの操作部３９Ｂの対向側面と筐体３６の天井面とで形成される凹部空間内に入り込む防塵用カバー体４９が一体形成されている。
【００７８】
〔その他の実施形態〕
（１）上述の第１実施形態では、有線ＬＡＮや無線ＬＡＮを利用した情報通信機能を備えた情報通信ユニットＵ１を例に挙げて、電話回線接続用コネクタ２８の異物侵入規制構造について説明したが、電話用のモジュラープラグを接続する専用の電話接続ユニットに装備される電話回線接続用コネクタ２８の異物侵入規制構造に適用してもよい。
【００７９】
（２）上述の第１実施形態では、通信線（通信ケーブル）として電話線（電話ケーブル）を例に挙げて説明したが、ＵＴＰケーブルやＳＴＰケーブル等の他の通信線であってもよい。
【００８０】
（３）上述の第１実施形態では、解除操作レバー３９Ａの操作部３９Ｂを端子本体４１の解除操作用開口部４１Ｄから外部に突出配置してある電話回線接続用コネクタ２８を例に挙げて説明したが、解除操作レバー３９Ａの操作部３９Ｂが端子本体４１の装着凹部４１Ｂ内に配置される内蔵タイプの電話回線接続用コネクタ２８にも適用することができる。
【００８１】
（４）上述の第１実施形態では、空隙減少手段Ａ１を構成する障壁４６を筐体３６の一側面である天井面と対面する裏側分割ケーシング７の内面７ｄに形成したが、この障壁４６を筐体３６の天井面に形成してもよく、更に、障壁４６を裏側分割ケーシング７の内面７ｄと筐体３６の天井面とに形成してもよい。
【００８２】
（５）上述の第１実施形態では、閉塞手段Ａ２を構成する閉塞壁部４８を、裏側分割ケーシング７における電話回線用開口部２６の周縁部のうち、横幅方向の一方の短辺側の側縁部２６ａに沿って外方側に突出形成したが、この閉塞壁部４８を、電話回線用開口部２６における横幅方向の他方の短辺側の側縁部２６ｂに沿って外方側に突出形成してもよく、さらに、閉塞壁部４８を、電話回線用開口部２６における横幅方向両側の側縁部２６ａ，２６ｂに沿って外方側に突出形成してもよい。
【００８３】
（６）上述の第１実施形態では、閉塞手段Ａ２を構成する閉塞壁部４８を、裏側分割ケーシング７の電話回線用開口部２６に挿入された電話回線接続用コネクタ２８の筐体３６の外面に対して押圧状態で接触させたが、閉塞壁部４８を電話回線用開口部２６に挿入された電話回線接続用コネクタ２８の筐体３６の外面に対して非押圧状態で接触させてもよく、さらに、閉塞壁部４８を電話回線用開口部２６に挿入された電話回線接続用コネクタ２８の筐体３６の外面に近接させてもよい。
【００８４】
（７）上述の第１実施形態では、閉塞手段Ａ２を構成する閉塞壁部４８を、電話回線用開口部２６の周縁部のうち、横幅方向の一方の短辺側の側縁部２６ａに沿って部分的に形成したが、この閉塞壁部４８を電話回線用開口部２６の全周縁部又は略全周縁部に沿って形成してもよい。
この場合、閉塞壁部４８を、電話回線用開口部２６に対して裏側分割ケーシング７の内部から設定装着位置に挿入される電話回線接続用コネクタ２８の筐体３６との当接に伴って後退側に撓み変形可能に構成してもよい。
【００８５】
（８）上述の第１実施形態では、異物侵入規制手段Ａを、空隙Ｓ２を減じる状態で、筐体３６の外面と裏側分割ケーシング７の内面７ｄとの相対向する部位の少なくとも一方に形成される空隙減少手段Ａ１と、電話回線用開口部２６に装着された電話回線接続用コネクタ２８の筐体３６の外面に当接又は圧接することにより隙間Ｓ１を減じる閉塞手段Ａ２との組み合わせから構成したが、空隙減少手段Ａ１又は閉塞手段Ａ２のいずれか一方から構成してもよい。
【００８６】
（９）上述の第１実施形態では、電話回線接続用コネクタ２８等の通信回線接続用コネクタを二組のコネクタ体２８Ａから構成したが、一つ又は三つ以上のコネクタ体２８Ａから構成してもよい。
【００８７】
（１０）上述の第１実施形態では、電話回線接続用コネクタ２８等の通信回線接続用コネクタを二組のコネクタ体２８Ａから構成したが、二組のコネクタ体２８Ａを一体形成してある通信回線接続用コネクタであってもよい。
【００８８】
（１１）上述の第１実施形態では、情報通信ユニットＵ１等の通信ユニットのケーシングＣを二分割したが、三つ以上に分割形成されているケーシングＣであってもよい。
【００８９】
（１２）異物侵入規制手段Ａに異物を粘着力等によって捕捉する機能を付加してもよい。
【産業上の利用可能性】
【００９０】
以上説明したように、情報通信ユニットや電話接続ユニット等の通信ユニットにおいて、ケーシングに形成されたコネクタ装着用の開口部と通信回線接続用コネクタの筐体の外面との間の隙間からの塵埃等の異物の侵入を規制して、回路基板等の誤作動や故障等を抑制する場合に有効に適用することができる。
【符号の説明】
【００９１】
Ａ        異物侵入規制手段
Ａ１      空隙減少手段
Ａ２      閉塞手段
Ｃ        ケーシング
Ｓ１      隙間
Ｓ２      空隙
Ｕ１      通信ユニット（情報通信ユニット）
５        通信線（通信ケーブル、電話ケーブル）
５ａ      芯線
７ｄ      内面
２６      コネクタ装着用の開口部（電話回線用開口部）
２８      通信回線接続用コネクタ（電話回線接続用コネクタ）
２８Ａ    コネクタ体
２９      回路基板
３５      通信線挿入孔
３６      筐体
３７      端子板
３８      線抜止め機構
３９      解除操作体
３９Ｂ    操作部
４１      端子本体
４１Ａ    前壁部
４１Ｂ    装着凹部
４３      端子カバー
４６      障壁
４７      突条
４８      閉塞壁部
【図１】
2015213206.tif 000003
【図２】
2015213206.tif 000004
【図３】
2015213206.tif 000005
【図４】
2015213206.tif 000006
【図５】
2015213206.tif 000007
【図６】
2015213206.tif 000008
【図７】
2015213206.tif 000009
【図８】
2015213206.tif 000010
【図９】
2015213206.tif 000011
【図１０】
2015213206.tif 000012
【図１１】
2015213206.tif 000013
【手続補正書】
【提出日】平成27年7月28日(2015.7.28)
【手続補正１】
【補正対象書類名】特許請求の範囲
【補正対象項目名】全文
【補正方法】変更
【補正の内容】
【特許請求の範囲】
【請求項１】
通信ユニットのケーシングに形成されたコネクタ装着用の開口部に、通信線挿入孔と、この通信線挿入孔に挿入された通信線の芯線を端子板に導電状態で抜止め保持する線抜止め機構と、当該線抜止め機構を抜止め解除する解除操作体とを備えた通信回線接続用コネクタが、前記通信線挿入孔及び前記解除操作体を解除作動させる操作部が前記開口部から外部に露出する状態で装着されている通信ユニットであって、
前記ケーシングの内面と前記通信回線接続用コネクタの筐体の外面との相対向する部位の少なくとも一方には、前記筐体の外面と前記開口部の内面との間の隙間に連通する前記筐体の外面と前記ケーシングの内面との間の空隙を減少する障壁が設けられ、
前記障壁が、前記解除操作体の操作部の解除作動範囲を前記開口部側に向かって囲む状態で設けられている通信ユニット。
【請求項２】
前記ケーシングの開口部の周縁部の少なくとも一部には、前記筐体の外面に近接又は当接して前記隙間を減じる閉塞壁部が設けられている請求項１記載の通信ユニット。
【請求項３】
前記障壁は、前記筐体の横幅方向で相対向する一対の縦方向障壁部と、当該両縦方向障壁部の端部同士を繋ぐ横方向障壁部とを備え、且つ、前記筐体の外面に近接する状態で前記ケーシングの内面に一体形成されている請求項１又は２記載の通信ユニット。
【請求項４】
前記閉塞壁部は、前記ケーシングにおける前記開口部の周縁部のうち、一方の側縁部に沿って外方側に突出形成され、且つ、前記開口部に前記ケーシングの内部から挿入される前記筐体を前記開口部の周縁部における他方の側縁部に向かって押圧しながら挿入案内する内側面が備えられている請求項２記載の通信ユニット。
【請求項５】
前記筐体には、前記ケーシングの前記開口部に対して前記通信回線接続用コネクタの前記筐体が前記ケーシングの内部から設定装着位置に挿入されたとき、前記ケーシングの内面に設けられた前記障壁の先端と当接又は近接する突条が形成されている請求項３記載の通信ユニット。
【請求項６】
前記通信回線接続用コネクタが、前記通信線挿入孔を前壁部に形成してあり、且つ、横幅方向の一側方に開口する装着凹部に前記線抜止め機構と前記解除操作体及び前記端子板とを組み付けてある端子本体と、当該端子本体の装着凹部を閉止する端子カバーとを接合してあるコネクタ体の二組から構成され、前記二組のコネクタ体が、前記ケーシング内に配置される回路基板に並列状態で実装されている請求項１〜５のいずれか１項に記載の通信ユニット。
【手続補正２】
【補正対象書類名】明細書
【補正対象項目名】００１１
【補正方法】変更
【補正の内容】
【００１１】
通信ユニットのケーシングに形成されたコネクタ装着用の開口部に、通信線挿入孔と、この通信線挿入孔に挿入された通信線の芯線を端子板に導電状態で抜止め保持する線抜止め機構と、当該線抜止め機構を抜止め解除する解除操作体とを備えた通信回線接続用コネクタを、前記通信線挿入孔が前記開口部から外部に露出する状態で装着してある通信ユニットであって、
前記通信回線接続用コネクタの筐体の外面と前記開口部の内面との間の隙間、又は、この隙間に連通する前記筐体の外面と前記ケーシングの内面との間の空隙を経由する異物の内部侵入を規制する異物侵入規制手段が、前記ケーシングと前記筐体との相対向する部位の少なくとも一方に形成されている。
【手続補正３】
【補正対象書類名】明細書
【補正対象項目名】００１５
【補正方法】変更
【補正の内容】
【００１５】
前記異物侵入規制手段には、前記空隙を減じる状態で、前記ケーシングの内面と前記筐体の外面との相対向する部位の少なくとも一方に形成される空隙減少手段が備えられている。
【手続補正４】
【補正対象書類名】明細書
【補正対象項目名】００１７
【補正方法】変更
【補正の内容】
【００１７】
前記異物侵入規制手段には、前記開口部に装着された前記通信回線接続用コネクタの筐体の外面に当接又は圧接する状態で前記ケーシングに形成された閉塞手段が備えられている。
【手続補正５】
【補正対象書類名】明細書
【補正対象項目名】００１９
【補正方法】変更
【補正の内容】
【００１９】
前記空隙減少手段が、前記筐体の外面と前記ケーシングの内面との相対向する部位の少なくとも一方に前記空隙を減じる状態で形成した障壁から構成されている。
【手続補正６】
【補正対象書類名】明細書
【補正対象項目名】００２２
【補正方法】変更
【補正の内容】
【００２２】
前記閉塞手段が、前記ケーシングにおける前記開口部の周縁部の少なくとも一部において、前記開口部の側縁部に沿って外方側に突出形成され、かつ、前記隙間を減じる状態で前記ケーシングの開口部に挿入された通信回線接続用コネクタの筐体の外面に接触又は押圧接触する閉塞壁部から構成されている。
【手続補正７】
【補正対象書類名】明細書
【補正対象項目名】００２５
【補正方法】変更
【補正の内容】
【００２５】
前記通信回線接続用コネクタの前記解除操作体の操作部が、前記筐体の一側面に解除作動可能な状態で突出配置され、前記障壁が、前記ケーシングの内面における前記筐体の前記一側面と対面する部位に、前記解除操作体の操作部の解除作動範囲を前記開口部側に向かって囲む状態で形成して構成されている。
【手続補正８】
【補正対象書類名】明細書
【補正対象項目名】００２８
【補正方法】変更
【補正の内容】
【００２８】
それ故に、解除操作体の操作部に対する解除操作時の操作性を高めながら、異物の内部侵入に起因する回路基板の誤作動や故障等を抑制することができ、しかも、解除操作体の操作部の解除作動範囲を開口部側に向かって囲む状態で障壁を突出形成するだけの簡単な構造の改良で異物侵入抑制効果の向上を達成することができる。
そして、本発明による第１の特徴構成は、通信ユニットのケーシングに形成されたコネクタ装着用の開口部に、通信線挿入孔と、この通信線挿入孔に挿入された通信線の芯線を端子板に導電状態で抜止め保持する線抜止め機構と、当該線抜止め機構を抜止め解除する解除操作体とを備えた通信回線接続用コネクタが、前記通信線挿入孔及び前記解除操作体を解除作動させる操作部が前記開口部から外部に露出する状態で装着されている通信ユニットであって、
前記ケーシングの内面と前記通信回線接続用コネクタの筐体の外面との相対向する部位の少なくとも一方には、前記筐体の外面と前記開口部の内面との間の隙間に連通する前記筐体の外面と前記ケーシングの内面との間の空隙を減少する障壁が設けられ、
前記障壁が、前記解除操作体の操作部の解除作動範囲を前記開口部側に向かって囲む状態で設けられている点にある。
本発明による第２の特徴構成は、前記ケーシングの開口部の周縁部の少なくとも一部には、前記筐体の外面に近接又は当接して前記隙間を減じる閉塞壁部が設けられている点にある。
本発明による第３の特徴構成は、前記障壁は、前記筐体の横幅方向で相対向する一対の縦方向障壁部と、当該両縦方向障壁部の端部同士を繋ぐ横方向障壁部とを備え、且つ、前記筐体の外面に近接する状態で前記ケーシングの内面に一体形成されている点にある。
本発明による第４の特徴構成は、前記閉塞壁部は、前記ケーシングにおける前記開口部の周縁部のうち、一方の側縁部に沿って外方側に突出形成され、且つ、前記開口部に前記ケーシングの内部から挿入される前記筐体を前記開口部の周縁部における他方の側縁部に向かって押圧しながら挿入案内する内側面が備えられている点にある。
【手続補正９】
【補正対象書類名】明細書
【補正対象項目名】００２９
【補正方法】変更
【補正の内容】
【００２９】
本発明による第５の特徴構成は、前記筐体には、前記ケーシングの前記開口部に対して前記通信回線接続用コネクタの筐体が前記ケーシングの内部から設定装着位置に挿入されたとき、前記ケーシングの内面に設けられた前記障壁の先端と当接又は近接する突条が形成されている点にある。
【手続補正１０】
【補正対象書類名】明細書
【補正対象項目名】００３１
【補正方法】変更
【補正の内容】
【００３１】
本発明による第６の特徴構成は、前記通信回線接続用コネクタが、前記通信線挿入孔を前壁部に形成してあり、且つ、横幅方向の一側方に開口する装着凹部に前記線抜止め機構と前記解除操作体及び前記端子板とを組み付けてある端子本体と、当該端子本体の装着凹部を閉止する端子カバーとを接合してあるコネクタ体の二組から構成され、前記二組のコネクタ体が、前記ケーシング内に配置される回路基板に並列状態で実装されている点にある。
【手続補正１１】
【補正対象書類名】明細書
【補正対象項目名】００３３
【補正方法】変更
【補正の内容】
【００３３】
特に、コネクタ装着用開口部に対して通信回線接続用コネクタをケーシングの内部から設定装着位置に挿入したとき、ケーシングにおける開口部の周縁部の少なくとも一部において、開口部の側縁部に沿って外方側に突出形成された閉塞壁部により、二組のコネクタ体を横幅方向から押圧接触させた場合には、回路基板に対する端子板のターミナル等の撓み変形を利用して二組のコネクタ体同士を密着させることができ、隙間の減少を図ることができる。